(57)【要約】      （修正有）【課題】衣類又は雑貨等を収納したり、或いはごみ入れとして使用するものであり、特に洗濯物を一時的に収納しておくランドリーバッグとして極めて好適で、その他，日常品の収納具及びゴミ入れ等にも使用することができる、多様性に富んだ多目的収納袋を提供する。【解決手段】筒形状の袋本体部１と、該袋本体部１の袋開口部１ｄ箇所付近に装着されるとともに，開き状態は筒形状とし，その出入れ口部２ｂ周囲に閉紐４が挿通する閉じ紐通路２ｃが形成され，前記閉紐４の締付けにより出入れ口部２ｂが窄まるようにした覆い幕部２とからなること。前記袋本体部１は、その形状を維持することができる程度の生地が使用されること。前記覆い幕部２は常時は，前記袋本体部１内の内周側面に沿って配置されること。【選択図】図２
0003104136.tif 000002
【実用新案登録請求の範囲】
【請求項１】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置されてなることを特徴とする多目的収納袋。
【請求項２】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部は、その形状を維持することができる程度の生地が使用され、前記袋本体部の開口周囲には硬質環状材が装着されてなることを特徴とする多目的収納袋。
【請求項３】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部の袋開口部付近の内周側面で且つ対向するようにしてフック部が形成されてなることを特徴とする多目的収納袋。
【請求項４】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部の生地はラミネート加工されてなることを特徴とする多目的収納袋。
【請求項５】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部には、名札装着部が設けられてなることを特徴とする多目的収納袋。
【請求項６】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部及び開き状態の覆い幕部は円筒形状としてなることを特徴とする多目的収納袋。
【請求項７】
筒形状の袋本体部と、該袋本体部の袋開口部箇所付近に装着されるとともに，開き状態は筒形状とし，その出入れ口部周囲に閉紐が挿通する閉じ紐通路が形成され，前記閉紐の締付けにより出入れ口部が窄まるようにした覆い幕部とからなり、前記袋本体部は、その形状を維持することができる程度の生地が使用され、前記覆い幕部は常時は，前記袋本体部内の内周側面に沿って配置され、前記袋本体部及び開き状態の覆い幕部は角柱筒形状としてなることを特徴とする多目的収納袋。
【考案の詳細な説明】
【技術分野】
【０００１】
本考案は、衣類又は雑貨等を収納したり、或いはごみ入れとして使用するものであり、特に洗濯物を一時的に収納しておくランドリーバッグとして極めて好適で、その他，日常品の収納具及びゴミ入れ等にも使用することができる、多様性に富んだ多目的収納袋に関する。
【背景技術】
【０００２】
洗濯物を洗濯するときには、その洗濯物がある程度、溜まってから洗濯を行なうのが一般的である。そして、この洗濯物がある程度，溜まるまで貯蔵しておくボックス，カゴ，袋等が存在する。このような種類の主なものとして、特に下記特許文献１が存在する。これは、洗濯物を収納するための収納袋と、この収納袋を立てた状態に保持し、且つ収納袋の袋口を開いた状態に保持することができるフレームとを備えたもので、前記収納袋を前記フレームに対して取付け，取り外し自在に設け、また持ち運び用の把手を設けたものである。
【特許文献１】特開平９−２４９１号
【考案の開示】
【考案が解決しようとする課題】
【０００３】
上記洗濯収納用袋は、常時，洗濯物の出入れ口部２ｂが開いた状態であり、洗濯物がいっぱいになってしまった場合には、たとえば洗濯物が極端に汚れているようなときには、外観上見苦しいことになる。また、多くの洗濯物収納袋は、洗濯物を出し入れしやすいようにするために、その形状を箱形に維持するためのフレームが具備されることが多い。このフレームは、棒状の金属，プラスチック等の合成樹脂等から形成され、中央箇所に回動自在の枢支部が存在し、この枢支部を中心にして、側面より見て略Ｘ字形状に拡げて使用するものである。このフレームの上端に洗濯物収納袋を装着して、開口部を拡げた状態で使用するものである。そのために、洗濯物の収納袋の上方箇所開口部周辺には、フレームに引っ掛けるための加工が行なわれている。
【０００４】
そのために、特許文献１に開示された従来技術では、蓋が存在しないので、前述したように、汚れた洗濯物が溜まってしまうと、見苦しいものなる。さらに、収納袋は、これを箱形の形状に維持するためにフレームが必要となり、そのセッティングも面倒である。さらに、収納袋が直方体等の角形形状となっている場合では、洗濯物の収納効率も悪く、たとえば、隅角箇所には、スペースが生じやすく、あまり、沢山の洗濯物を収納することができないことが多い。
【０００５】
さらに、従来タイプのランドリーバッグは、その使用目的をランドリーバッグ以外に使用するとき、たとえば、雑誌を入れるマガジンラックや，雑貨収納家具或いはごみ箱としての使用は、部屋のインテリに溶け込みにくく、極めて不向きなものであった。本考案の技術的課題（目的）は、洗濯物が一杯に収容されても、不潔感を与えず、またフレームを使用しなくとも円筒又は立方筒の形状を維持すること、及びランドリーバッグ以外の使用にも十分対応できる多様性に富んだものにすることにある。
【課題を解決するための手段】
【０００６】
そこで、考案者は、上記課題を解決すべく、鋭意，研究を重ねた結果、本考案を、筒形状の袋本体部と、該袋本体部の袋開口部箇所付近に装着され，筒形状に開くとともに，その出入れ口部周囲に閉紐が挿通する閉じ紐通路が形成され，前記閉紐の締付けにより出入れ口部が窄まる覆い幕部とからなり、前記袋本体部は、その形状を維持することができる程度の生地が使用されてなる多目的収納袋としたことにより、上記課題を解決したものである。
【０００７】
また、前述の構成において前記袋本体部の開口周囲には硬質環状材が装着されたり、前記袋本体部は、その形状を維持することができる程度の生地が使用されたり、前記袋本体部の袋開口部付近の内周側面で且つ対向するようにしてフック部が形成されたり、前記袋本体部の生地はラミネート加工されることにより、上記課題を解決したものである。さらに、上述の構成において、前記袋本体部には、名札装着部が設けられたり、前記袋本体部及び開き状態の覆い幕部は円筒形状としたり、又は角柱筒形状としたことにより、上記課題を解決したものである。
【考案の効果】
【０００８】
請求項１の考案によれば、金属又は合成樹脂等のフレームや台等の別の器具を使用することなく、袋本体部の形状を筒形状に維持することができ、安定した使用ができる。また、ランドリーバッグとして使用した場合において洗濯物がいっぱいに溜まった場合や、或いはごみ箱として使用した場合においてゴミがいっぱいに溜まった場合には、覆い幕部を設けたことにより、特によごれた洗濯物が混ざっていても、覆い幕部を閉じることで、不快感を与えず、よって外観を良好にすることができる。さらに覆い幕部を閉めるには、閉紐を締め付けるのみで、覆い幕部の出入れ口部を窄めるようにして、簡単に閉じることができる。
【０００９】
請求項２の考案によれば、袋本体部の出入れ口部の周辺を常時確実に開いた状態にすることができ、洗濯物の他，雑貨，衣類，雑誌，新聞等の出し入れ、又はゴミ捨てを極めて行ないやすくできるものである。請求項３の考案によれば、袋本体部の内部に手提げ付き袋の装着が簡単にでき、これによって、洗濯物が袋本体部に直接、接触することなく、袋本体部を清潔に保ことができる。請求項４の考案によれば、袋本体部の生地に厚手のものを使用することなく、常時、袋本体部を円筒形状に維持することができる。
【００１０】
さらに、請求項５の考案によれば、複数の多目的収納袋を使用し、洗濯物の種類別に洗濯物を収納する場合に、名札入れに洗濯物の種類を見分けるための名札をいれることで、作業を効率的にでき、たとえば、家庭内で洗濯できるものと、クリーニング専門店に持ってゆくものとの区別を容易につけることができる。請求項６の考案によれば、袋本体部が円筒形状であるがゆえに、洗濯物，衣類等の収納に好適である。また請求項７の考案によれば、袋本体部が角柱状であるがゆえに、雑誌，新聞等の収納に好適である。
【考案を実施するための最良の形態】
【００１１】
以下、本考案の最良の形態を図面に基づいて説明する。本考案は、図１に示すように、袋本体部１、覆い幕部２、フック部６から構成されるものである。袋本体部１は、厚手の布地が使用されている。具体的には、帆布等が好適で、この生地には、ＰＶＣ加工がなされている。袋本体部１は、筒形状に形成されたものである。その筒形状には、円筒状と角柱状とがあり、円筒状の場合には、図１乃至図５に示すように、袋本体部１は通常円柱状である。また、袋本体部１が角柱状の場合には、図６に示すように、袋本体部１は立方体或いは直方体の形状になる。
【００１２】
さらに袋本体部１、本考案の多目的収納袋には、直径又は縦，横寸法、及び高さに種々のサイズのものが存在している。具体的には、袋本体部１が円筒形状の場合では、小型のもので直径２３cmで高さが２８cmとしたものである。また中型のもので、直径２８cmで高さが３５cmとしたものである。さらに、大型のもので、直径３３cmで高さが４３cmとしたものである。
【００１３】
その袋本体部１は、図２（Ｂ），（Ｃ）に示すように、円筒状の円筒側部１ａと円形状の底面部１ｂとから構成されており、極めて強固なる縫製により、円筒側部１ａと底面部１ｂとが縫い付けられている。前記円筒側部１ａの上端の開口周辺箇所が円筒側部１ａの内方側に折り返されて、通路部１ｃが形成される。該通路部１ｃは、チューブ状をなしており、その内部に硬質環状材３が装着されている。該硬質環状材３は、金属又は合成樹脂等から形成されたものである。金属製の場合には、ワイヤが装着され、袋本体部１の袋開口部１ｄが環状に維持されるようになっている。
【００１４】
この硬質環状材３は、極めて変形しにくい構造としたものや、又はある程度フレキシブルに変形自在とするが、力を離すと直ぐに環状に戻るようにすることができるようにしている。その硬質環状材３を極めて変形しにくい構造とすることにより、円筒側部１ａの袋開口部１ｄの形が崩れにくいものにすることができ、且つその円筒側部１ａの形状の維持性を良好にすることができる。また、前記袋本体部１の布地には、ラミネート加工が施されることがある。このラミネート加工により、袋本体部１には、適度の硬さが与えられ、形状を維持する性質となる。これによって、袋本体部１は筒形状を維持することができ、自立し易いものになっている。
【００１５】
そのために、本考案においては、従来タイプのランドリーバッグのように、フレームや台を使用する必要がない。さらに、袋本体部１には、図１，図２等に示すように、名札装着部８が設けられている。該名札装着部８は、カードを装着する部分であり、枠体８ａに透明板８ｂが設けられたものである。内部のカードには、袋本体部１内に内装されている物の種類等を記載することができ、本考案における多目的収納袋を複数所有する場合等に好都合である。さらに、袋本体部１には、図１，図２等に示すように、把手９が装着されている。具体的には、袋本体部１の上方且つ開口部１ｄ付近に、対向するようにして装着されている。
【００１６】
次に、覆い幕部２は、袋本体部１の上部開口箇所に設けられ、薄い布地により形成されている。前記覆い幕部２は、図２（Ａ），（Ｂ）、図３に示すように、袋本体部１の袋開口部１ｄに、開いた状態で筒状となるようにして装着されたものである。その覆い幕部２は、上述したように、前記袋本体部１を形成する生地よりも、さらに薄い生地が使用され、それ自身では形状維持性を有していない。
【００１７】
その覆い幕部２は、幕側部２ａと、出入れ口部２ｂとから構成されている。その覆い幕部２の幕側部２ａの一端縁側は、図３（Ａ），（Ｂ）に示すように、袋本体部１の袋開口部１ｄの内側周囲に縫製により接合されている。その覆い幕部２は、図２（Ａ），（Ｂ）に示すように、袋本体部１の開口部１ｄの上方に向かって筒形状にせり上げることができる。その覆い幕部２（の幕側部２ａ）は、前記袋本体部１が円筒形状の場合には、同様に円筒形状となっている。また覆い幕部２（の幕側部２ａ）は、前記袋本体部１が角柱状の場合には、同様に角柱状となる〔図６（Ａ），（Ｂ）参照〕。
【００１８】
その出入れ口部２ｂは、覆い幕部２の開口箇所が内周側又は外周側に折り返されて、円周状の閉じ紐通路２ｃが形成されている〔図２（Ａ），（Ｂ）参照〕。該閉じ紐通路２ｃは、チューブ状に形成されたものであり、その内部には、閉紐４が挿通されている。その円周状の閉じ紐通路２ｃにおいて、２箇所に開放部２ｃ1 が直径方向に対向するようにして形成されている。該開放部２ｃ1 には、閉じ紐通路２ｃ内に挿通している閉紐４が閉じ紐通路２ｃの外部に突出する構造となっている。
【００１９】
その出入れ口部２ｂは、拡縮するようになっており、その閉紐４を前記開放部２ｃ1 から引き出すようにすることで、図１（Ｂ）に示すように、出入れ口部２ｂが中央に向かって窄まるように閉じるものである。この覆い幕部２の閉じたときの状態は、ちょうど、円板状になる。この覆い幕部２は、通常は、図３（Ａ），（Ｂ）に示すように、前記袋本体部１の内周側面に沿って配置されるようになっている。また、その覆い幕部２を蓋として使用する場合には、図２（Ａ），（Ｂ）に示すように、袋本体部１の袋開口部１ｄから上方に迫り出すようにする。
【００２０】
前記閉紐４は、実際には、２本にて構成され、図２（Ａ）に示すように、前記出入れ口部２ｂの対向するそれぞれの開放部２ｃ1 ，２ｃ1 から２本の閉紐４，４が突出するようにして、前記閉じ紐通路２ｃ内にそれぞれループ状をなして、挿通されたものである。それぞれの閉紐４，４には、終端片４ａ，４ａが設けられており、それぞれの開放部２ｃ1 ，２ｃ1 から外部に突出した終端片４ａ，４ａを相互に引き合うことにより、図１（Ｂ）に示すように、出入れ口部２ｂが閉じ紐通路２ｃ箇所から窄まるようにして、閉じられるものである。その終端片４ａは、略方形状の革又は布から形成されたもので、前記閉紐４を引きやすいようになっている。
【００２１】
また、前記袋本体部１の円筒側部１ａの外周面側上方には、直径方向において対向するように手提げ部５，５が装着されている。さらに、円筒側部１ａの袋開口部１ｄ付近の内周側面には、図４（Ａ），（Ｂ）に示すように、２つのフック部６，６が設けられている。この両フック部６，６は、図４（Ｂ）に示すように、帯状をなしており、その生地は、厚手で比較的丈夫になっている。そのフック部６は、図４（Ｃ）に示すように、帯状片６ａの両端に連結具６ｂが装着されたものであり、前記帯状片６ａがループ状となるように折り曲げられ、その連結具６ｂにより、ループが構成される。
【００２２】
その連結具６ｂは、布ファスナ，ホック，スナップ，ボタン及びボタンホール等が使用される。このフック部６，６箇所において、前記覆い幕部２の幕側部２ａと、袋本体部１の円筒側部１ａとの接合箇所には、切抜き部７，７が形成され、前記フック部６，６は、その切抜き部７，７から覆い幕部２の内周又は外周のいずれの側にも突出させることができうようになっている。さらに、前記フック部６，６は、金属製のクリップ，掛金具を使用することもある。
【００２３】
この両フック部６，６を介して、手提付き袋１０を袋本体部１の内装袋として使用することができるようになっている〔図４（Ａ），（Ｂ）参照〕。その手提付き袋１０は、スーパー或いはコンビニエンスストア等の店舗で品物を購入した際に提供されるタイプの袋等を使用するが、専用に内袋として製造されるものであってもかまわない。実際に、内袋として手提付き袋１０をフック部６，６を装着するには、図４（Ｃ）に示すように、それぞれのフック部６を連結具６ｂを介して離間させ、そのフック部６を帯状にしておく。そして、図４（Ｄ）に示すように、前記手提付き袋１０の手提１０ａ箇所にフック部６の帯状片６ａを巻き付けるようにして連結具６ｂを介して接合する。これを手提付き袋１０の両手提１０ａ，１０ａを両フック部６，６に固定するものである。
【００２４】
また本考案は、未使用時においては、図５（Ａ），（Ｂ）に示すように、袋本体部１を上下方向から圧縮するようにして折畳むことにより、折り畳まれた状態に維持される。このようにして、コンパクトなサイズにすることができ、未使用時の保管には省スペース化を実現することができる。さらに、本考案では、洗濯物の収納を目的とした使用が好適で主な役目であるが、その収納物として洗濯物以外の日常品を収納するための収納具として使用することもできる。また、その形状は部屋のインテリや家具として使用することができ、且つ好適である。また、ごみ箱として使用することもできる。この場合には、袋本体部１内に前記手提付き袋１０を装着することで、袋本体部１からのごみ取出作業を、手を汚さずに容易に行うことができる。
【図面の簡単な説明】
【００２５】
【図１】（Ａ）は本考案の斜視図、（Ｂ）は覆い幕部を閉じた状態の本考案の斜視図である。
【図２】（Ａ）は袋本体部の開口部から覆い幕部を上方にせりあげた状態の本考案の斜視図、（Ｂ）は（Ａ）の縦断略示側面図、（Ｃ）は（Ｂ）のイ部拡大図である。
【図３】（Ａ）は本考案の平面斜視図、（Ｂ）は（Ａ）の縦断略示側面図である。
【図４】（Ａ）は袋本体部内に手提付き袋を装着した本考案の斜視図、（Ｂ）は（Ａ）の縦断略示側面図、（Ｃ）はフック部の拡大斜視図、（Ｄ）は手提付き袋の手提をフック部にて連結した状態を示す拡大斜視図である。
【図５】（Ａ）は袋本体部内に手提付き袋を上下方向に圧縮する途中状態の本考案の斜視図、（Ｂ）は袋本体部を圧縮完了した本考案の斜視図である。
【図６】（Ａ）はバッグ本体を角柱状としたタイプの本考案の斜視図、（Ｂ）は（Ａ）の覆い幕部を閉じた状態の本考案の斜視図である。
【符号の説明】
【００２６】
１…袋本体部，１ｄ…袋開口部，２…覆い幕部、２ｂ…出入れ口部、４…閉紐、
２ｃ…閉じ紐通路、３…硬質環状材、６…フック部、８…名札装着部。
【図１】
0003104136.tif 000003
【図２】
0003104136.tif 000004
【図３】
0003104136.tif 000005
【図４】
0003104136.tif 000006
【図５】
0003104136.tif 000007
【図６】
0003104136.tif 000008